(57)【特許請求の範囲】
【請求項１】
ウェッブと両側のフランジとで断面コ字状に形成せるスタッドを立設し、スタッドの両側に配置した壁パネルの端部に壁パネルと直交するように突設した連結片を夫々スタッド内に挿入して連結片をフランジの内面に沿わせ、スタッドの両側のフランジの内面にフランジの先端から折り返すように連出した折り返し片をフランジの内面に沿わせると共にフランジの内面に折り返し片にて係止段部を形成し、連結片の先端に上記係止段部と対応して係止段部に係止し得る係止突起を突設し、通常係止段部と係止突起との間に隙間ができる位置関係になるように係止段部の位置を設定し、一対の連結片間に目地材を圧入して成ることを特徴とするユニットルームの壁パネルの連結構造。
【請求項２】
折り返し片は、フランジの先端から連出するように折り返した第１折り返し片と、第１折り返し片の先端から連出するように折り返してフランジと第１折り返し片との間に介装した第２折り返し片とで構成し、第１折り返し片と第２折り返し片との間の屈曲部を係止段部にしたことを特徴とする請求項１記載のユニットルームの壁パネルの連結構造。
【請求項３】
目地材が硬質材に形成せる目地材本体と目地材本体の両側面に突設した軟質材の襞部とからなり、硬質材の目地材本体の先端部に楔形状部を設け、軟質材の襞部を圧入方向と逆方向を向くように斜めに傾斜させたことを特徴とする請求項１または請求項２記載のユニットルームの壁パネルの連結構造。
【請求項４】
硬質材の目地材本体の両側面に硬質材の瘤を両側に突出するように突設し、圧入する側と反対側で瘤から軟質材の襞部を突設したことを特徴とする請求項３記載のユニットルームの壁パネルの連結構造。
【請求項５】
スタッドの下端にウェッブから一体に下方に突出する突片を設けると共に上記突片と対向する連結プレートの上部をスタッドのウェッブに一体に固着し、床パンの周囲に設けたパネル載置面に壁パネルの下端を載置し、パネル載置面から上方に立ち上げた立ち上がり壁を連結プレートと突片との間の隙間に挿入し、立ち上がり壁を介して連結プレートと突片との間にビス等の固着具を締結したことを特徴とする請求項１乃至請求項４のいずれかに記載のユニットルームの壁パネルの連結構造。
【発明の詳細な説明】
【０００１】
【発明の属する技術分野】
本発明は、ユニットルームに組み立てるときに隣り合う壁パネルを連結するのに用いる構造に関するものである。
【０００２】
【従来の技術】
従来、ユニットルームの壁パネル１を連結する場合、図８に示すような構造を採用していた。スタッド２はウェッブ２ａと両側のフランジ２ｂとで断面コ字状に形成されており、壁パネル１を連結する箇所に鉛直方向に立設してある。このスタッド２の両側のフランジ２ｂの内面にはフランジ２ｂの先端から折り返すように連出した折り返し片３を重ねてあり、フランジ２ｂの内面側に折り返し片３にて係止段部４を形成してある。壁パネル１の端部には連結片５が壁パネル１に対して壁パネル１の外面側に向けて直交する方向に突出するように連出してあり、連結片５に上記係止段部４に係止する山形の係止突起１５を突設してある。壁パネル１を連結する場合、隣り合う一対の壁パネル１の連結片５をスタッド２内に挿入し、係止突起１５を係止段部４に係止し、一対の連結片５間に目地材６を圧入してある。
【０００３】
【発明が解決しようとする課題】
ところで、上記従来例では壁パネル１の連結片５をスタッド２内に所定の深さまで完全に差し込んだ状態で係止段部４と係止突起１５とが対応して係止する寸法関係になるように設定してある。ところが、このような寸法関係にしてあると、スタッド２や連結片５に寸法誤差があると、図９に示すように係止段部４と係止突起１５が完全に係止せず、係止段部４に係止突起１５が乗り上げる虞があり、このようになると、一対の連結片５間に所定の目地隙間が形成されなくなり、目地材６を圧入できなかったり、圧入できても圧入が困難になるという問題がある。
【０００４】
本発明は上記の点に鑑みてなされたものであり、スタッドや壁パネルの連結片に多少の寸法誤差があっても係止段部と係止突起の係止関係を保ちながら連結片間への目地材の圧入が容易にできるユニットルームの壁パネルの連結構造を提供することを課題とするものである。
【０００５】
【課題を解決するための手段】
上記課題を解決するための本発明のユニットルームの壁パネルの連結構造は、ウェッブ２ａと両側のフランジ２ｂとで断面コ字状に形成せるスタッド２を立設し、スタッド２の両側に配置した壁パネル１の端部に壁パネル１と直交するように突設した連結片５を夫々スタッド２内に挿入して連結片５をフランジ２ｂの内面に沿わせ、スタッド２の両側のフランジ２ｂの内面にフランジ２ｂの先端から折り返すように連出した折り返し片３をフランジ２ｂの内面に沿わせると共にフランジ２ｂの内面に折り返し片３にて係止段部４を形成し、連結片５の先端に上記係止段部４と対応して係止段部４に係止し得る係止突起１５を突設し、通常係止段部４と係止突起１５との間に隙間Ｓができる位置関係になるように係止段部４の位置を設定し、一対の連結片５間に目地材６を圧入して成ることを特徴とする。上記のように通常係止段部４と係止突起１５との間に隙間Ｓができる位置関係になるように係止段部４の位置を設定したことにより、スタッド２や壁パネル１の連結片５に寸法誤差があっても係止段部４に係止突起１５が乗り上げるようなことがなくなり、一対の連結片５間に所定の目地隙間を形成して目地材６の圧入が容易になる。
【０００６】
また折り返し片３は、フランジ２ｂの先端から連出するように折り返した第１折り返し片３ａと、第１折り返し片３ａの先端から連出するように折り返してフランジ２ｂと第１折り返し片３ａとの間に介装した第２折り返し片３ｂとで構成し、第１折り返し片３ａと第２折り返し片３ｂとの間の屈曲部３ｃを係止段部４にしたことを特徴とすることも好ましい。係止段部４にエッジができることなく、係止突起１５がエッジで削られることがなく、係止段部４と係止突起１５の係止が安定する。
【０００７】
また目地材６が硬質材に形成せる目地材本体６ａと目地材本体６ａに両側面に突設した軟質材の襞部６ｂとからなり、硬質材の目地材本体６ａの先端部に楔形状部７を設け、軟質材の襞部６ｂを圧入方向と逆方向を向くように斜めに傾斜させたことを特徴とすることも好ましい。このようにすると、目地材６を圧入するとき、硬質材の楔形状部７から圧入することでスムーズに圧入することができ、しかもシールするための軟質材の襞部６ｂがあっても襞部６ｂがあまり抵抗となることなくスムーズに圧入できる。
【０００８】
また硬質材の目地材本体６ａの両側面に硬質材の瘤８を両側に突出するように突設し、圧入する側と反対側で瘤８から軟質材の襞部６ｂを突設したことを特徴とすることも好ましい。目地材６を圧入したとき両側の瘤８で一対の連結片５間に一定の間隔を保持でき、軟質材の襞部６ｂへの連続負荷荷重を低減させることができて襞部６ｂのクリープ劣化を防止して耐久性を向上させることができ、しかも瘤８により目地材６を圧入するとき襞部６ｂを引きちぎるような力がかかることがなく、襞部６ｂを破損させるようなことがなくなり、襞部６ｂで安定よくシールできる。
【０００９】
またスタッド２の下端にウェッブ２ａから一体に下方に突出する突片９を設けると共に上記突片９と対向する連結プレート１０の上部をスタッド２のウェッブ２ａに一体に固着し、床パン１１の周囲に設けたパネル載置面１２に壁パネル１の下端を載置し、パネル載置面１２から上方に立ち上げた立ち上がり壁１３を連結プレート１０と突片９との間の隙間に挿入し、立ち上がり壁１３を介して連結プレート１０と突片９との間にビス等の固着具１４を締結したことを特徴とすることも好ましい。上記のように構成したことにより、スタッド２の下端を床パン１１の確実に連結してスタッド２を安定よく立設することができる。
【００１０】
【発明の実施の形態】
ユニットルームは本例の場合浴室であり、床パン１１の四周に壁パネル１が立設され、上面に天井パネル（図示せず）を貼って形成される。床パン１１には図３に示すように洗い場２５と浴槽設置部１６とを一体に設けてある。床パン１１の周囲には周壁１７を一体に立ち上げてあり、周壁１７の上端には水平なパネル載置面１２を全周に亙って設けてある。床パン１１の周囲に壁パネル１を立設するときは壁パネル１の下端がパネル載置面１２に載置される。パネル載置面１２の外側の端部から上方に立ち上がる立ち上がり壁１３を突設してある。床パン１１を建物躯体の床下地上に設置するときアジャスター１８を介して設置される。
【００１１】
壁パネル１を床パン１１の周囲に立設するとき床パン１１にスタッド２が立設される。床パン４の四隅では上記スタッド２と異なるコーナ用のスタッド１９が立設される。スタッド２やコーナ用のスタッド１９の上端部間には天井廻し材２０が架設される。本発明ではスタッド２の部分について主に述べる。スタッド２はウェッブ２ａと両側のフランジ２ｂとで断面コ字状に形成されている。このスタッド２は比較的バネ性のある金属にて形成されている。スタッド２の両側のフランジ２ｂの内面にはフランジ２ｂの先端から折り返すように連出した折り返し片３を沿わせてあり、この折り返し片３にてフランジ２ｂの内面に係止段部４を形成してある。この折り返し片３は図２（ａ）のように一重に折り返すだけでもよいが、図２（ｂ）のように二重に折り返してある方が好ましい。つまり、折り返し片３は、フランジ２ｂの先端から連出するように折り返した第１折り返し片３ａと、第１折り返し片３ａの先端から連出するように折り返してフランジ２ｂと第１折り返し片３ａとの間に介装した第２折り返し片３ｂとで構成してあることが好ましい。このようにすると第１折り返し片３ａと第２折り返し片３ｂとの間の屈曲部３ｃに係止段部４が形成され、係止段部４にエッジができない。
【００１２】
図４に示すようにスタッド２の下端からウェッブ２ａと一体に突片９を下方に突設してあり、スタッド２の下端部には突片９と対向する連結プレート１０を配置してあり、連結プレート１０の上部がスタッド２のウェッブ２ａに溶接にて一体に固着してある。スタッド２を立設する場合、図１に示すように連結プレート１０と突片９との間の隙間に床パン１１の立ち上がり壁１３を挿入し、皿ビスのような固着具１４を連結プレート１０から連結プレート１０、立ち上がり壁１３、受片９に貫通するように打入して締結してある。このようにすると、連結プレート１０と突片９とで立ち上がり壁１３を挟持してスタッド２を強固且つ確実に連結でき、スタッド２を安定よく立設することができる。スタッド２の上端は図５に示すようにスタッド２のウェッブ２ａから天井廻し材２０に貫通するようにビスのような固着具２３を打入して固定されている。このスタッド２より一回り大きい断面コ字状の型材２１がスタッド２の略全長に亙るように被嵌されており、スタッド２のウェッブ２ａと型材２１とが結合されており、型材２１にてスタッド２が撓み変形しないように補強されている。
【００１３】
壁パネル１は取り付けるとき室内側を向く内面は化粧面となっており、外面
側には断熱材２２を裏打ちしてある。壁パネル１の両側の端部には壁パネル１の面に対して直交して外面側に突出する連結片５を突設してあり、連結片５の先端で端部方向と反対方向に突出する山形の係止突起１５を突設してある。この壁パネル１を並べて接続するとき、壁パネル１の側端の連結片５を夫々スタッド２に挿入し、係止突起１５と係止段部４が係止する位置関係になるようにし、連結片５間に目地材６を圧入する。このとき、スタッド２内に壁パネル１の連結片５を挿入して係止突起１５と係止段部４とが係止の位置関係になったとき、係止突起１５と係止段部４との間に隙間Ｓができる関係になるようにスタッド２と連結片５の寸法関係を設定してある。従って、スタッド２と連結片５との寸法精度に誤差があっても係止段部４に係止突起１５が乗り上げることがなく、目地材６を容易に挿入して目地処理することができる。
【００１４】
また上記目地材６は次のような構造になっている。目地材６は図６に示すように硬質材より目地材本体６ａと軟質材よりなる襞部６ｂと軟質材の目地蓋部６ｃとで主体が構成されている。硬質材の部分は例えば塩化ビニル樹脂、ＡＢＳ樹脂、ＡＥＳ樹脂等で形成されており、軟質材の部分は例えば塩化ビニルエラストマー、スチレン系エラストマー、アクリル系エラストマー等で形成されている。硬質材の目地材本体６ａの先端部には先端程細くなる楔形状部７を設けてあり、楔形状部７の先端側と反対側の基部には細くくびれた首部２４を設けてあり、首部２４より基部側には両側に山形に突出する瘤８を設けてある。目地材本体６ａの瘤８より基部側で目地材本体６ａの両側には襞部６ｂを一体に装着してあり、目地材本体６ａの基端には目地蓋部６ｃを一体に装着してある。襞部６ｂを両側に突設するとき目地材本体６ａの基部側に傾くように突設してある。目地材本体６ａの両側に複数の襞部６ｂが突設されるが、瘤８に襞部６ｂを突設する際に瘤８の基部側の面から斜めに突設してある。
【００１５】
このような目地材６は連結片５間の目地隙間に圧入されるのであるが、図７に示すように楔形状部７から連結片５間に圧入され、襞部６ｂが連結片５に弾接され、目地隙間が目地蓋部６ｃにて閉塞される。このように目地材６を圧入するとき、硬質材の楔形状部７から圧入することでスムーズに圧入することができ、しかもシールするための軟質材の襞部６ｂがあっても襞部６ｂが傾いているため襞部６ｂがあまり抵抗となることなくスムーズに圧入できる。また目地材６を圧入したとき両側の硬質材の瘤８で一対の連結片５間に一定の間隔を保持でき、軟質材の襞部６ｂへの連続負荷荷重を低減させることができて襞部６ｂのクリープ劣化を防止して耐久性を向上させることができ、しかも瘤８により目地材６を圧入するとき襞部６ｂを引きちぎるような力がかかることがなく、襞部６ｂを破損させるようなことがなくなり、襞部６ｂで安定よくシールできる。
【００１６】
【発明の効果】
本発明の請求項１の発明は、叙述の如く通常係止段部と係止突起との間に隙間ができる位置関係になるように係止段部の位置を設定しているので、スタッドや壁パネルの連結片に寸法誤差があっても係止段部に係止突起が乗り上げるようなことがなくなり、一対の連結片間に所定の目地隙間を形成して目地材の圧入が容易になるものである。
【００１７】
また本発明の請求項２の発明は、請求項１において、折り返し片は、フランジの先端から連出するように折り返した第１折り返し片と、第１折り返し片の先端から連出するように折り返してフランジと第１折り返し片との間に介装した第２折り返し片とで構成し、第１折り返し片と第２折り返し片との間の屈曲部を係止段部にしたので、係止段部にエッジができることなく、係止突起がエッジで削られることがなく、係止段部と係止突起の係止が安定するものである。
【００１８】
また本発明の請求項３の発明は、請求項１または請求項２おいて、目地材が硬質材に形成せる目地材本体と目地材本体に両側面に突設した軟質材の襞部とからなり、硬質材の目地材本体の先端部に楔形状部を設け、軟質材の襞部を圧入方向と逆方向を向くように斜めに傾斜させたので、目地材を圧入するとき、硬質材の楔形状部から圧入することでスムーズに圧入することができ、しかもシールするための軟質材の襞部があっても襞部があまり抵抗となることなくスムーズに圧入できるものである。
【００１９】
また本発明の請求項４の発明は、請求項３において、硬質材の目地材本体の両側面に硬質材の瘤を両側に突出するように突設し、圧入する側と反対側で瘤から軟質材の襞部を突設したので、目地材を圧入したとき両側の瘤で一対の連結片間に一定の間隔を保持でき、軟質材の襞部への連続負荷荷重を低減させることができて襞部のクリープ劣化を防止して耐久性を向上させることができるものであり、しかも瘤により目地材を圧入するとき襞部を引きちぎるような力がかかることがなく、襞部を破損させるようなことがなくなり、襞部で安定よくシールできるものである。
【００２０】
また本発明の請求項５の発明は、請求項１乃至請求項４のいずれかにおいて、スタッドの下端にウェッブから一体に下方に突出する突片を設けると共に上記突片と対向する連結プレートの上部をスタッドのウェッブに一体に固着し、床パンの周囲に設けたパネル載置面に壁パネルの下端を載置し、パネル載置面から上方に立ち上げた立ち上がり壁を連結プレートと突片との間の隙間に挿入し、立ち上がり壁を介して連結プレートと突片との間にビス等の固着具を締結したので、スタッドの下端を床パンに確実に連結してスタッドを安定よく立設することができるものである。
【図面の簡単な説明】
【図１】本発明の実施の形態の一例の壁パネルの連結部分の断面図である。
【図２】同上のスタッドの折り返し片の部分を示し、（ａ）（ｂ）は異なる例の断面図である。
【図３】同上の床パンにスタッドを立設した状態の斜視図である。
【図４】同上のスタッドの下端を床パンに連結する部分の断面図である。
【図５】同上のスタッドの上端部と天井廻し材を連結する部分の断面図である。
【図６】同上の目地材を拡大せる断面図である。
【図７】図６の目地材を装着した状態の断面図である。
【図８】従来例の断面図である。
【図９】従来例の問題を説明する断面図である。
【符号の説明】
１  壁パネル
２  スタッド
２ａ  ウェッブ
２ｂ  フランジ
３  折り返し片
３ａ  第１折り返し片
３ｂ  第２折り返し片
３ｃ  屈曲部
４  係止段部
５  連結片
６  目地材
６ａ  目地材本体
６ｂ  襞部
７  楔形状部
８  瘤
９  突片
１０  連結プレート
１１  床パン
１２  パネル載置面
１３  立ち上がり壁
１４  固着具
１５  係止突起
【図１】
0003649200.tif 000002
【図２】
0003649200.tif 000003
【図３】
0003649200.tif 000004
【図４】
0003649200.tif 000005
【図５】
0003649200.tif 000006
【図６】
0003649200.tif 000007
【図７】
0003649200.tif 000008
【図８】
0003649200.tif 000009
【図９】
0003649200.tif 000010